(57)【要約】【課題】熱伝導性材料の圧力と熱抵抗の関係・圧力と厚みの関係・圧力と等価熱伝導率の関係を簡単に取得できる方法を提供する。【解決手段】  熱伝導性材料を加圧する際の熱伝導性材料の特性を求める方法であって、熱伝導性材料の製品名毎の、加圧する際の圧力と熱伝導性材料の熱抵抗の関係、加圧する際の圧力と熱伝導性材料の厚みの関係、及び加圧する際の圧力と熱伝導性材料の等価熱伝導率の関係が保存されている特性データベースを、コンピュータに組み込む工程と、コンピュータにおいて熱伝導性材料の製品名を選択する工程と、コンピュータが、選択された熱伝導性材料の製品名毎に、加圧する際の圧力と各特性の関係を画面表示手段の画面に表示する工程とにより、加圧時の熱伝導性材料の特性を求める方法。【選択図】  図３
2019196924.tif 000002
【特許請求の範囲】
【請求項１】
発熱部材から放熱部材への熱の伝達を高めるために使用される熱伝導性材料を加圧する際の前記熱伝導性材料の特性を求める方法であって、
前記熱伝導性材料の製品名毎の、前記加圧する際の圧力と前記熱伝導性材料の熱抵抗の関係、前記加圧する際の圧力と前記熱伝導性材料の厚みの関係、及び前記加圧する際の圧力と前記熱伝導性材料の等価熱伝導率の関係が保存されている特性データベースを、コンピュータに組み込む工程と、
前記コンピュータにおいて前記熱伝導性材料の製品名を選択する工程と、
前記コンピュータが、前記選択された熱伝導性材料の製品名毎に、前記加圧する際の圧力と前記熱伝導性材料の熱抵抗の関係、前記加圧する際の圧力と前記熱伝導性材料の厚みの関係、及び前記加圧する際の圧力と前記熱伝導性材料の等価熱伝導率の関係を画面表示手段の画面に表示する工程と
により、加圧時の熱伝導性材料の特性を求める方法。
【請求項２】
前記熱伝導性材料の製品名毎の、前記加圧する際の圧力と前記熱伝導性材料の熱抵抗の関係及び前記加圧する際の圧力と前記熱伝導性材料の厚みの関係は、温度一定の条件で熱抵抗を測定する定常法で前記熱伝導性材料の製品名毎に測定した熱抵抗及び厚みに基づいて求められたものであり、
前記熱伝導性材料の製品名毎の、前記加圧する際の圧力と前記熱伝導性材料の等価熱伝導率の関係は、前記定常法で前記熱伝導性材料の製品名毎に測定した熱抵抗及び厚みに基づいて求められた前記加圧する際の圧力と前記熱伝導性材料の熱抵抗の関係及び前記加圧する際の圧力と前記熱伝導性材料の厚みの関係に基づいて求められたものであることを特徴とする請求項１に記載の加圧時の熱伝導性材料の特性を求める方法。
【請求項３】
前記熱伝導性材料の製品名を選択する前に、前記特性データベースに保存された前記熱伝導性材料の製品名の中から、前記選択する熱伝導性材料の製品名の候補を絞り込む工程を有し、
前記製品名の候補を絞り込む工程を、
前記製品名と、前記製品名を有する熱伝導性材料の硬度に応じて分類された硬度分類、製品厚み、カタログ熱伝導率、及び絶縁破壊電圧の各条件が関連づけられた製品データベースを前記コンピュータに組み込む段階と、
前記コンピュータに、前記硬度分類、製品厚み、カタログ熱伝導率、及び絶縁破壊電圧のうち少なくとも１つの条件を入力する段階と、
前記コンピュータが、前記製品データベースに基づいて、前記入力した条件に適合する製品名を列挙する段階と、
により、前記入力した条件に適合する製品名の候補を絞り込むことにより行うことを特徴とする請求項１又は請求項２に記載の加圧時の熱伝導性材料の特性を求める方法。
【発明の詳細な説明】
【技術分野】
【０００１】
本発明は、加圧時の熱伝導性材料の特性を求める方法に関する。
【背景技術】
【０００２】
発熱部材から放熱部材への熱の伝達を高めるために使用される材料として熱伝導性材料がある。例えば、従来、ＣＰＵ、ＧＰＵ、パワーモジュール等の大きな発熱を伴う電子部品をヒートシンクに取り付ける際に、部品間に生じる隙間をなくし、電子部品で発生する熱を効率良くヒートシンクに伝達するために使用される熱伝導性材料として、特許文献１に示されるようなシリコーン樹脂に熱伝導性粉末を混合してシート化したものが広く用いられている。
【０００３】
熱伝導性材料は、サーマルインターフェースマテリアル（Ｔｈｅｒｍａｌ  Ｉｎｔｅｒｆａｃｅ  Ｍａｔｅｒｉａｌ、ＴＩＭ）とも呼ばれる材料である。熱伝導性材料としては、硬度が低い「放熱パッド」と呼ばれる材料や、硬度が高い「放熱シート」と呼ばれる材料がある。ただし、この「パッド」、「シート」という用語は、硬度の高低によらず混在して用いられることがある。例えば、硬度の低い放熱パッドは「ソフトパッド（Ｓｏｆｔ  Ｐａｄ）」、硬度の高い放熱シートは「ハードパッド（Ｈａｒｄ  Ｐａｄ）」と呼ばれたり、硬度の高低に拘わらず、両者とも「シート」と呼ばれることもある。
【０００４】
熱伝導性材料の放熱性能を示す指標の一つとして熱抵抗があり、熱抵抗値は熱伝導性材料の厚みや熱伝導率、熱伝導性材料が接触する面との接触熱抵抗によって決まってくる。
【０００５】
図６は発熱部材５２と放熱部材（冷却部材）５３間に熱伝導性材料５１を挟んで使用した時の断面図である。熱は発熱部材５２から放熱部材（冷却部材）５３に矢印５４の方向で移動する。熱伝導性材料５１は、発熱部材５２で発生した熱を効率良く放熱部材（冷却部材）５３に伝える機能を有する。熱伝導性材料の熱伝導率をλＴＩＭ、厚みをＬ、接触熱抵抗をＲＣ、断面積をＡとすると、接触熱抵抗を含まない熱伝導性材料の熱抵抗Ｒ０は数式（１）で表され、接触熱抵抗を含む熱伝導性材料の熱抵抗Ｒは数式（２）のように表される。
【０００６】
【数１】
2019196924.tif 000003
【数２】
2019196924.tif 000004
【０００７】
接触熱抵抗を加味した熱伝導性材料の等価熱伝導率は上記数式（１）と数式（２）を連立して、これを解くことにより求めることができ、数式（３）より、数式（４）のように表せる。
【数３】
2019196924.tif 000005
【数４】
2019196924.tif 000006
【０００８】
一般的に熱抵抗を測定する方法には温度一定の条件で熱抵抗を測定する定常法と、温度が上昇または下降中に熱抵抗を測定する非定常法の二通りの方法がある。
【０００９】
特許文献２に開示される技術では、電子部品と配線パターンを有する基板を接続するはんだバンプモデルに対して、等価熱伝導率の計算方法が示されているが、はんだと空気の並列モデルにおける等価熱伝導率の算出方法であり、熱伝導性材料と空気のように熱抵抗が直列に並ぶモデルに対してはこの等価熱伝導率算出方法は適用できない。
【先行技術文献】
【特許文献】
【００１０】
【特許文献１】特開２００５−５４０９９号公報
【特許文献２】特開２００８−２７５５７９号公報
【発明の概要】
【発明が解決しようとする課題】
【００１１】
前述の熱伝導性材料には様々な硬度、厚さ、熱伝導率のものがあり、多くの熱伝導性材料の中から所望の要求特性に合った材料を選定するのは困難であった。
【００１２】
熱伝導性材料の熱抵抗は加圧力によって変化するため、実際に使用する圧力での熱抵抗値が重要である。しかしながら、様々な圧力条件での熱伝導性材料の熱抵抗値を簡単に入手することは困難であった。
【００１３】
同様に熱伝導性材料の等価熱伝導率も加圧力によって接触熱抵抗や厚みが変化するため、実際に使用する圧力での等価熱伝導率が重要である。しかしながら、様々な圧力条件での熱伝導性材料の等価熱伝導率を簡単に入手することは困難であった。
【００１４】
本発明の目的は、熱伝導性材料の圧力と熱抵抗の関係・圧力と厚みの関係・圧力と等価熱伝導率の関係を簡単に取得できる方法を提供することである。
【課題を解決するための手段】
【００１５】
本発明は上記課題を解決するためになされたものであり、本発明は、発熱部材から放熱部材への熱の伝達を高めるために使用される熱伝導性材料を加圧する際の前記熱伝導性材料の特性を求める方法であって、前記熱伝導性材料の製品名毎の、前記加圧する際の圧力と前記熱伝導性材料の熱抵抗の関係、前記加圧する際の圧力と前記熱伝導性材料の厚みの関係、及び前記加圧する際の圧力と前記熱伝導性材料の等価熱伝導率の関係が保存されている特性データベースを、コンピュータに組み込む工程と、前記コンピュータにおいて前記熱伝導性材料の製品名を選択する工程と、前記コンピュータが、前記選択された熱伝導性材料の製品名毎に、前記加圧する際の圧力と前記熱伝導性材料の熱抵抗の関係、前記加圧する際の圧力と前記熱伝導性材料の厚みの関係、及び前記加圧する際の圧力と前記熱伝導性材料の等価熱伝導率の関係を画面表示手段の画面に表示する工程とにより、加圧時の熱伝導性材料の特性を求める方法を提供する。
【００１６】
このような加圧時の熱伝導性材料の特性を求める方法であれば、熱伝導性材料の圧力と熱抵抗の関係・圧力と厚みの関係・圧力と等価熱伝導率の関係を簡単に取得できる。
【００１７】
この場合、前記熱伝導性材料の製品名毎の、前記加圧する際の圧力と前記熱伝導性材料の熱抵抗の関係及び前記加圧する際の圧力と前記熱伝導性材料の厚みの関係は、温度一定の条件で熱抵抗を測定する定常法で前記熱伝導性材料の製品名毎に測定した熱抵抗及び厚みに基づいて求められたものであり、前記熱伝導性材料の製品名毎の、前記加圧する際の圧力と前記熱伝導性材料の等価熱伝導率の関係は、前記定常法で前記熱伝導性材料の製品名毎に測定した熱抵抗及び厚みに基づいて求められた前記加圧する際の圧力と前記熱伝導性材料の熱抵抗の関係及び前記加圧する際の圧力と前記熱伝導性材料の厚みの関係に基づいて求められたものであることが好ましい。
【００１８】
このように、本発明で用いる熱伝導性材料の圧力と熱抵抗の関係・圧力と厚みの関係・圧力と等価熱伝導率の関係は、温度一定の条件で熱抵抗を測定する定常法によって熱伝導性材料の製品名毎に実際に測定した熱抵抗に基づいて求められた関係を好適に採用することができる。これにより、より実際の使用条件に即して、圧力と熱伝導性材料の各特性の関係を取得することができる。
【００１９】
また、前記熱伝導性材料の製品名を選択する前に、前記特性データベースに保存された前記熱伝導性材料の製品名の中から、前記選択する熱伝導性材料の製品名の候補を絞り込む工程を有し、前記製品名の候補を絞り込む工程を、前記製品名と、前記製品名を有する熱伝導性材料の硬度に応じて分類された硬度分類、製品厚み、カタログ熱伝導率、及び絶縁破壊電圧の各条件が関連づけられた製品データベースを前記コンピュータに組み込む段階と、前記コンピュータに、前記硬度分類、製品厚み、カタログ熱伝導率、及び絶縁破壊電圧のうち少なくとも１つの条件を入力する段階と、前記コンピュータが、前記製品データベースに基づいて、前記入力した条件に適合する製品名を列挙する段階と、により、前記入力した条件に適合する製品名の候補を絞り込むことにより行うことが好ましい。
【００２０】
このように、硬度分類、製品厚み、カタログ熱伝導率、及び絶縁破壊電圧の各条件が関連づけられた製品データベースをコンピュータに組み込んでおけば、全製品リストから条件にあった製品だけを絞り込むことができ、簡単に所望の製品名を選定することができる。
【発明の効果】
【００２１】
本発明によれば、熱伝導性材料の圧力と熱抵抗の関係・圧力と厚みの関係・圧力と等価熱伝導率の関係の情報を簡単に取得することができる。
【図面の簡単な説明】
【００２２】
【図１】本発明の加圧時の熱伝導性材料の特性を求める方法の一例の概略を示すフロー図である。
【図２】本発明において、熱伝導性材料の製品名を絞り込む方法を説明する図である。
【図３】本発明で用いられる製品リストから圧力と熱抵抗の関係、圧力と厚みの関係、圧力と等価熱伝導率の関係を画面表示手段の画面に表示（描画）する方法を説明する図である。
【図４】本発明を用いて熱伝導性材料の製品名の絞り込みを行う入力画面である。
【図５】本発明を用いて熱伝導性材料の製品名からその製品名の加圧時の熱抵抗・厚み・等価熱伝導率を求める計算シートの操作画面である。
【図６】発熱部材と放熱部材の間で使用される熱伝導性材料の熱抵抗と接触熱抵抗の関係を説明する図である。
【発明を実施するための形態】
【００２３】
以下、本発明について実施の形態を説明するが、本発明はこれに限定されるものではない。
【００２４】
図１に、本発明の加圧時の熱伝導性材料の特性を求める方法の一例の概略を示した。本発明は、発熱部材から放熱部材への熱の伝達を高めるために使用される熱伝導性材料を加圧する際の熱伝導性材料の特性を求める方法である。ここで、熱伝導性材料の特性とは、具体的には、熱伝導性材料の熱抵抗、厚み及び等価熱伝導率である。本発明では、まず、熱伝導性材料の製品名毎の、加圧する際の圧力と熱伝導性材料の熱抵抗の関係、加圧する際の圧力と熱伝導性材料の厚みの関係、及び加圧する際の圧力と熱伝導性材料の等価熱伝導率の関係が保存されている特性データベースを、コンピュータに組み込む（図１の工程ａ）。次に、コンピュータにおいて熱伝導性材料の製品名を選択する（図１の工程ｂ）。次に、コンピュータが、選択された熱伝導性材料の製品名毎に、加圧する際の圧力と熱伝導性材料の熱抵抗の関係、加圧する際の圧力と熱伝導性材料の厚みの関係、及び加圧する際の圧力と熱伝導性材料の等価熱伝導率の関係を画面表示手段の画面に表示する（図１の工程ｃ）。このようにして、本発明の方法では、加圧時の熱伝導性材料の特性を求めることができる。
【００２５】
このような加圧時の熱伝導性材料の特性を求める方法であれば、特定の熱伝導性材料の圧力と熱抵抗の関係・圧力と厚みの関係・圧力と等価熱伝導率の関係を簡単に取得できる。
【００２６】
以下では、本発明を、順を追って説明する。
【００２７】
上記のように、本発明では、まず、熱伝導性材料の製品名毎の、加圧する際の圧力と熱伝導性材料の熱抵抗の関係、加圧する際の圧力と熱伝導性材料の厚みの関係、及び加圧する際の圧力と熱伝導性材料の等価熱伝導率の関係が保存されている特性データベースを、コンピュータに組み込む（工程ａ）。
【００２８】
ここでの熱伝導性材料の製品名毎の、加圧する際の圧力と熱伝導性材料の熱抵抗の関係及び加圧する際の圧力と熱伝導性材料の厚みの関係は、温度一定の条件で熱抵抗を測定する定常法で熱伝導性材料の製品名毎に測定した熱抵抗及び厚みに基づいて求められたものであることが好ましい。このように、本発明では、定常法によって熱伝導性材料の製品名毎に、実際に測定した熱抵抗及び厚みに基づいて求められた関係を好適に採用することができる。これにより、より実際の使用条件に即して加圧する際の圧力と熱伝導性材料の熱抵抗の関係及び加圧する際の圧力と熱伝導性材料の厚みの関係を求めることができる。
【００２９】
また、熱伝導性材料の製品名毎の、加圧する際の圧力と熱伝導性材料の等価熱伝導率の関係は、定常法で熱伝導性材料の製品名毎に測定した熱抵抗及び厚みに基づいて求められた加圧する際の圧力と熱伝導性材料の熱抵抗の関係及び加圧する際の圧力と熱伝導性材料の厚みの関係に基づいて求められたものであることが好ましい。これにより、より実際の使用条件に即して加圧する際の圧力と熱伝導性材料の等価熱伝導率の関係を求めることができる。
【００３０】
上記のように、熱伝導性材料の熱抵抗は定常法によって測定することができる。例えば、以下のような方法によって行うことができるが、これに限定されない。
【００３１】
（定常法による熱抵抗の測定方法）
まず、直径３３ｍｍの熱伝導性材料のサンプルを冷却プレートとヒーターで挟み込み、所定の圧力をかけた状態でヒーターを加熱する。次に、定常状態での熱量と、サンプル上下の温度差から熱抵抗値を算出する。熱抵抗は、以下の数式（５）で表される。
【数５】
2019196924.tif 000007
ここで、
Ｒ  ：  熱抵抗（ｃｍ２・Ｋ／Ｗ）
Ｔｈ  ：  ヒーター側温度（℃）
Ｔｃ  ：  冷却プレート側温度（℃）
Ｑ  ：  熱量（Ｗ）
Ｓ  ：  面積（ｃｍ２）
である。
【００３２】
このようにして熱伝導性材料の熱抵抗を測定し、圧力と熱抵抗、圧力と厚みの相関関係を測定すればよい。すなわち、熱伝導性材料のサンプルにかける圧力を変化させて熱抵抗を測定し、熱伝導性材料にかかる圧力と熱抵抗の関係を求められる。また、熱伝導性材料のサンプルにかける圧力を変化させることにより、熱伝導性材料のサンプルの厚みを変化させ、熱伝導性材料にかかる圧力と厚みの関係を求めることができる。上記熱抵抗の測定を熱伝導性材料の製品名毎に行うことにより、熱伝導性材料の製品名毎に、圧力と熱抵抗の関係、圧力と厚みの関係を求めることができる。また、等価熱伝導率は下記の式より求めることができる。
【数６】
2019196924.tif 000008
【００３３】
工程ａで熱伝導性材料の圧力と熱抵抗の関係、圧力と厚みの関係、圧力と等価熱伝導率の関係のデータベースをコンピュータに組み込んだ後、コンピュータにおいて熱伝導性材料の製品名を選択する（工程ｂ）。特性データベースに熱伝導性材料の製品名を保存しておけば、熱伝導性材料の製品名を選択することにより、加圧時の圧力と熱伝導性材料の各特性の関係の取得を簡便に行うことができる。
【００３４】
工程ｂでコンピュータにおいて熱伝導性材料の製品名を選択した後は、コンピュータが、選択された熱伝導性材料の製品名毎に、加圧する際の圧力と熱伝導性材料の熱抵抗の関係、加圧する際の圧力と熱伝導性材料の厚みの関係、及び加圧する際の圧力と熱伝導性材料の等価熱伝導率の関係を画面表示手段の画面に表示（描画）する（工程ｃ）。このようにして、本発明の方法では、加圧時の熱伝導性材料の特性を求めることができる。
【００３５】
また、本発明は、熱伝導性材料の製品名を選択する前に（すなわち、工程ｂの前に）、特性データベースに保存された熱伝導性材料の製品名の中から、選択する熱伝導性材料の製品名の候補を絞り込む工程を有することができる（図１の工程ｄ）。この工程ｄは少なくとも工程ｂの前に行われればよい。この製品名の候補を絞り込む工程ｄは、具体的には以下のような段階によることができる。まず、熱伝導性材料の製品名と、製品名を有する熱伝導性材料の硬度に応じて分類された硬度分類、製品厚み、カタログ熱伝導率、及び絶縁破壊電圧の各条件が関連づけられた製品データベースをコンピュータに組み込む（段階ｄ−１）。なお、「硬度分類」とは、製品の硬度に基づいて与えられる分類であり、例えば、「低硬度」、「高硬度」、「低硬度と高硬度の複合品」などの分類区分が各製品に付される。また、「カタログ熱伝導率」とは、以下の測定方法によって測定される熱伝導性材料の熱伝導率である。
（カタログ熱伝導率の測定方法）
６０ｍｍ×６０ｍｍ×厚さ６ｍｍのサンプル２枚でセンサーを挟み、センサーに定電流を流し、一定発熱させて、センサーの温度上昇から熱伝導率（カタログ熱伝導率）を算出する。熱伝導率（カタログ熱伝導率）は以下の数式（７）から求めることができる。
【数７】
2019196924.tif 000009
ここで、
τ：  
【数８】
2019196924.tif 000010
で定義される無次元パラメータ
ΔＴａｖｅ（τ）：  センサーの温度上昇（℃）
Ｄ（τ）：  無次元化されたτの関数
Ｐ０：  センサーに加えられる全出力（Ｗ）
π：  円周率
ｒ：  センサーの半径（ｍ）
λ：  サンプルの熱伝導率（Ｗ／ｍ−Ｋ）
α：  サンプルの熱拡散率（ｍ２／ｓ）
ｔ：  測定時間（ｓｅｃ）
である。
【００３６】
次に、コンピュータに、上記の硬度分類、製品厚み、カタログ熱伝導率、及び絶縁破壊電圧のうち少なくとも１つの条件を入力する（段階ｄ−２）。次に、コンピュータが、製品データベースに基づいて、入力した条件に適合する製品名を列挙する（段階ｄ−３）。以上段階ｄ−１〜ｄ３を経て、入力した条件に適合する製品名の候補を絞り込むことができる。このように、硬度分類、製品厚み、カタログ熱伝導率、及び絶縁破壊電圧の各条件が関連づけられた製品データベースをコンピュータに組み込んでおけば、全製品リストから条件にあった製品だけを絞り込むことができ、簡単に所望の製品名を選定することができる。
【００３７】
工程ｄにおいて、熱伝導性材料の硬度分類、製品厚み、カタログ熱伝導率、絶縁破壊電圧の条件を選択・入力し、製品データベースの製品リストの中から条件にあった熱伝導性材料を選定した後は、工程ｂにおいて、その選定した製品名を入力することにより、熱伝導性材料の製品名からその製品名の加圧時の圧力と熱抵抗・厚み・等価熱伝導率の関係を求めることができる。製品名を有する熱伝導性材料の硬度分類、製品厚み、カタログ熱伝導率、及び絶縁破壊電圧の各条件が関連づけられた製品データベースの製品リストは任意に作成することができる。例えば、信越化学工業株式会社製の熱伝導性材料の製品リストとすることができる。
【００３８】
本発明では、上記のように、熱伝導性材料の製品名毎に圧力と熱抵抗の関係、圧力と厚みの関係、圧力と等価熱伝導率の関係を有する特性データベースを用いるわけであるが、この熱伝導性材料の製品名毎の関係等は、いつでも特性データベースに追加することができる。すなわち、既に構築されている特性データベースに対し、例えば、製品名毎に設定された熱伝導性材料の圧力と熱抵抗の関係、圧力と厚みの関係及び圧力と等価熱伝導率の関係を新たに追加することができる。
【００３９】
より具体的な実施態様を、図２〜５を参照しながら説明する。図２は、上記した工程ｄにおいて、製品データベースに保存された製品リストの中から、硬度分類、製品厚み、カタログ熱伝導率、絶縁破壊電圧の条件にあった製品を選定する方法を説明する図である。図２に示したように、各製品には、硬度分類として「低硬度」「低硬度＋高硬度」「高硬度」のいずれかが付されている。また、各製品の製品厚みの下限値及び上限値、カタログ熱伝導率の下限値及び上限値、絶縁破壊電圧の下限値が保存されている。
【００４０】
図２のように、製品データベースが組み込まれたコンピュータに対し、入力部で、熱伝導性材料の硬度の分類、製品厚み、カタログ熱伝導率、絶縁破壊電圧を選択・入力し、品番検索ボタンをクリックする。そうすると製品リストの中から条件にあった製品名が出力される。なお、全製品リストを表示することもでき、その場合は図２に示したようにリセットボタンをクリックすればよい。
【００４１】
図３に示したように、コンピュータに組み込まれた特性データベースには、熱伝導性材料の製品名毎に関係づけられた「熱伝導性材料にかかる圧力と熱抵抗の関係」と「熱伝導性材料にかかる圧力と厚みの関係」と「熱伝導性材料にかかる圧力と等価熱伝導率の関係」が保存されている。
【００４２】
図３は特性データベースを基にして、本発明で用いられる製品リストから圧力と熱抵抗の関係、圧力と厚みの関係、圧力と等価熱伝導率の関係を画面表示手段の画面に表示（描画）する方法を説明する図である。
【００４３】
図３に示したように熱伝導性材料の製品名を選択すると、コンピュータに組み込まれた特性データベースを参照し、製品名の圧力と熱抵抗の関係、圧力と厚みの関係、圧力と等価熱伝導率の関係がグラフとして画面表示手段の画面に描画される。
【００４４】
図４と図５を参照して、より具体的な本発明の実施態様を説明する。図４は製品リストの中から熱伝導性材料の硬度の分類、製品厚み、カタログ熱伝導率、絶縁破壊電圧の条件にあった製品を選定する計算シートの入力画面の一例を示す図である。この計算シートは、例えば、Ｍｉｃｒｏｓｏｆｔ  Ｅｘｃｅｌ（登録商標）等の表計算ソフトウェアを用いて作成することができる。
【００４５】
図５は図４で選定した熱伝導性材料の製品名を選択することにより、その製品名の圧力と熱抵抗の関係、圧力と厚みの関係、圧力と等価熱伝導率の関係を描画する計算シートの入力画面の一例を示す図である。この計算シートは、例えば、Ｍｉｃｒｏｓｏｆｔ  Ｅｘｃｅｌ（登録商標）等の表計算ソフトウェアを用いて作成することができる。
【００４６】
図４、図５には、硬度の低い放熱パッド（Ｓｏｆｔ  Ｐａｄ）と硬度の高い放熱シート（Ｈａｒｄ  Ｐａｄ）及び放熱パッドと放熱シートの積層品の製品名が登録されている。加圧しない状態の厚さ（０．５ｍｍ、１．０ｍｍ等）によって、「５０ＣＡＳ−１０」「１００ＣＡＳ−１０」「５０ＣＡＢ−１０」「１００ＣＡＢ−１０」のように登録されており、例えば、製品名「５０ＣＡＳ−１０」は製品名「ＴＣ−５０ＣＡＳ−１０」の略称である。図４では硬度の分類、製品厚み、カタログ熱伝導率、絶縁破壊電圧の条件を選択・入力すると条件にあった製品名が表示され、図５では製品名を選択するとその製品名の圧力と熱抵抗の関係、圧力と厚みの関係、圧力と等価熱伝導率の関係が描画される。
【実施例】
【００４７】
図４、図５の計算シートを用いて、熱伝導性材料の特性を求めた。まず、図４の計算シートにて硬度の分類に低硬度を選択し、製品厚みに０ｍｍ以上５ｍｍ以下、カタログ熱伝導率に４Ｗ／ｍ−Ｋ以上５Ｗ／ｍ−Ｋ以下、絶縁破壊電圧１０ｋＶ以上の条件を入力したところ、５０ＣＡＴ２０、１００ＣＡＴ２０、１５０ＣＡＴ２０、２００ＣＡＴ２０、３００ＣＡＴ２０の５製品が選定された。次に、図５において、前述の５製品を選択し、５製品について圧力と熱抵抗の関係、圧力と厚みの関係、圧力と等価熱伝導率の関係を描画した。このように、熱伝導性材料の圧力と熱抵抗の関係・圧力と厚みの関係・圧力と等価熱伝導率の関係を簡単に取得できた。
【００４８】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【符号の説明】
【００４９】
５１…熱伝導性材料、  ５２…発熱部材、  ５３…放熱部材（冷却部材）、
５４…熱の移動。
【図１】
2019196924.tif 000011
【図２】
2019196924.tif 000012
【図３】
2019196924.tif 000013
【図４】
2019196924.tif 000014
【図５】
2019196924.tif 000015
【図６】
2019196924.tif 000016